(57)【特許請求の範囲】
【請求項１】
歯口を挟んで対向するように配設される針床を備え、各針床には先頭部にフックを有する針本体と、針本体に対して相対移動してフックの先端側の開口部を開閉するスライダとを有する複合針が編針として並設され、スライダの先頭部はフックを両側から挟むようにしてフックの上縁よりも歯口に進出可能な二枚のブレードに別れ、各ブレードの先頭部にはタングが形成され、目渡し側ではフックの上縁よりも歯口に進出して相互間が開くタング間に編目を保持して、目受け側では歯口に進出させる針本体のフックを目渡し側のタング間に侵入させてから引込み、目受け側のフックの開口部内に編目を受取らせて目移しを行うことが可能な横編機において、
目受け側のフックを歯口に進出させて目渡し側のタング間に侵入させるフック進出手段と、
該目受け側のフックが引込まれて、フックの先端が目渡し側のタング間で保持される編目に達する前に、フック先端の下降軌跡よりも針本体の針幹側に、タング先端の底部で該編目を沈めるまで、目受け側のスライダを歯口に進出させるタング進出手段とを、
含むことを特徴とする横編機。
【請求項２】
前記目受け側のスライダは、前記フックの先端側の開口部を閉じるように、前記針本体に対して前記タング先端が相対移動する際に、目受け側の針本体の針幹とタング先端との間隔がいったん増加してから減少することを特徴とする請求項１記載の横編機。
【請求項３】
前記複合針は、各針床に沿って往復走行するキャリッジに搭載されるカムによって駆動され、
該カムは、前記フック進出手段および前記タング進出手段を、駆動の経路としてそれぞれ有していることを特徴とする請求項１または２記載の横編機。
【請求項４】
前記針床は、前記歯口の少なくとも一方側では上下に二段設けられ、
前記フック進出手段および前記タング進出手段は、上段の針床に並設される複合針を、対向する針床の下段側から目渡しされる編目を受取る目受け側として動作させることを特徴とする請求項１〜３のいずれか一つに記載の横編機。
【請求項５】
歯口を挟んで対向するように配設される針床を備え、各針床には先頭部にフックを有する針本体と、針本体に対して相対移動してフックの先端側の開口部を開閉するスライダとを有する複合針が編針として並設され、スライダの先頭部はフックを両側から挟むようにしてフックの上縁よりも歯口に進出可能な二枚のブレードに別れ、各ブレードの先頭部にはタングが形成され、目渡し側ではフックの上縁よりも歯口に進出して相互間が開くタング間に編目を保持して、目受け側では歯口に進出させる針本体のフックを目渡し側のタング間に侵入させてから引込み、目受け側のフックの開口部内に編目を受取らせて目移しを行うことが可能な横編機の目移し方法において、
目受け側のフックを歯口に進出させて目渡し側のタング間に侵入させてから、該フックの先端が該タング間で保持される編目に達するまで引込まれる前に、
目受け側のスライダを歯口に進出させて、フック先端の下降軌跡よりも針本体の針幹側に、タング先端の底部で該編目を沈める、
ことを特徴とする横編機の目移し方法。
【発明の詳細な説明】
【技術分野】
【０００１】
本発明は、フックを開閉するスライダの先頭部がフック上縁よりも歯口に進出可能な二枚のブレードに別れる複合針を編針として備える横編機、およびその横編機での目移し方法に関する。
【背景技術】
【０００２】
従来から、横編機の編針として、フックを開閉するスライダの先頭部がフック上縁よりも歯口に進出可能な二枚のブレードに別れる複合針を使用し、スライダを利用して目移しを行う技術が知られている（たとえば、特許文献１参照）。ブレードの先端部には、タングと呼ばれる段差が形成されている。特許文献１に記載されている横編機では、歯口を挟むように前後一対の針床を設け、針床上を往復走行するキャリッジに搭載するカムで複合針を選択的に駆動して、編成動作や目移し動作を行わせる。特許文献１の図１２には、複合針の針本体とスライダとに設けられるバットを案内して目移し動作を行わせるカム配置がバットの通過軌跡とともに示されている。目移しの際には、目渡し側がフック上縁よりも歯口に進出させたタングで編目を保持する。保持する編目がタング先端から脱落することを防ぎ、かつスライダがタング先端でフック先端側の開口部を閉じている状態でのノックオーバを円滑に行わせるために、フックを閉じる際にタングの先端と針本体の針幹との間隔をいったん増加させてから減少させる技術も知られている（たとえば、特許文献２参照）。【０００３】
特許文献１の図１３から図２０までの各図では、図１２の通過軌跡上での主要位置に対応する複合針の動作状態が針床の側面図として示されている。特に図１６には、目渡し側のスライダをフックよりも歯口に進出させ、スライダの先頭部に形成するタングで編目を保持する状態が示されている。図６の６−ｂで示されるように、スライダの先端のブレードはフックの両側に分岐し、先端が拡がっている。図１７および図１８には、ブレード間に、目受け側のフックを侵入させる状態が示されている。図１９には、目渡し側のスライダを引込み、編目を目受け側の針本体の針幹に掛ける状態が示されている。図２０には、目受け側のフックを引込み、フック先端側の開口部内、すなわちフック内に編目を受入れている状態が示されている。【０００４】
横編機での目移し動作は、組織柄を編成する場合や、編目の数を増減させる場合に行われる。前後の針床で編成する編地を編幅の両側で連結して筒状に編成する場合で、特に表目と裏目とを含むリブ編みなどを行う場合には、編目の形成と目移しとを交互に行うので、目移しの頻度が高まる。針抜き編成を行えば、前後一対の針床でも、リブ編みで筒状の編地を編成することができる。歯口の両側で上下二段に針床を備える四枚ベッドの横編機を使用する場合は、総針編成で筒状の編地をリブ編みで編成することができる。四枚ベッドの横編機では、各針床の下段側で表目を編成し、上段側で裏目を編成する。一方の針床の下段側には、表目を編成する編針と、対向する上段側の針床で編成する裏目を保持する編針とが交互に配置される。裏目の編成と保持との間に、目移しが行われる。【０００５】
図３は、四枚ベッドの横編機で下段側から上段側へ目移しを行う状態を、部分的に簡略化して示す。図３では、図１で後述する本発明の実施形態と比較するために、特許文献1の図１９に対応する動作を、（ａ）、（ｂ）および（ｃ）の三段階に分けて示す。横編機１は、歯口２を挟んで、前側に前下段針床３ａおよび前上段針床３ｂと、後側に後下段針床４ａおよび後上段針床４ｂとを有する。各針床は、歯口２側に近づくと高く、遠ざかると低くなるように、傾斜している。前下段針床３ａおよび前上段針床３ｂと、後下段針床４ａおよび後上段針床４ｂとは、歯口２の中心面２ａに関して面対称となるように配置される。本明細書では、各針床で編針が移動する方向として、歯口２に進出する方向を上、針床に引込まれる方向を下として記載する。【０００６】
編針は、各針床に設けられる針溝に収容されて、先頭部が歯口２に進退する。本明細書では、各針溝内で、底面から離れる方向の変位を浮くと記載し、底面に近づく方向の変位を沈むと記載する。編針としては、特許文献１や特許文献２に開示されているような複合針５が使用される。複合針５は、針本体６とスライダ７とを含む。針本体６の先頭部には、フック６ａが針幹６ｂの先端となるように形成される。フック６ａは、鉤状に湾曲し、先端が針幹６ｂ側に折返される。フック６ａの先端と針幹６ｂとの間は開口する。フック６ａが引込まれる際には、フック６ａの先端は、下降軌跡６ｃを通る。【０００７】
スライダ７は、針本体６の針幹６ｂに設ける溝に収容されて、針本体６に対して相対的に移動可能であり、先端部のブレード７ａは二枚に分れ、それぞれ先頭部にタング７ｂが形成されている。タング７ｂは、フック６ａの先端と針幹６ｂとの間の開口部を閉じることができる。前下段針床３ａが目渡し側となり、後上段針床４ｂが目受け側となる場合、編目８は、目渡し側のタング７ｂで保持されて、歯口２にフック６ａの上縁を超えて両側に拡がりながら進出する。歯口２の両側で、編針の間には、シンカ９も設けられている。目受け側のフック６ａが目渡し側のブレード７ａ間に侵入すると、目渡し側のスライダ７は引込まれる。編目８は、スライダ７のタング７ｂから外れてシンカ９の上縁付近に留まる。目受け側のフック６ａを引込むと、編目８をフック６ａ内に捕捉して受取ることができる。
【特許文献１】特許第３０８５６５７号公報
【特許文献２】特許第３８８６９０３号公報
【発明の開示】
【発明が解決しようとする課題】
【０００８】
従来からの複合針５を使用する目移しでは、目受け側のスライダ７は後上段針床４ｂから歯口２へ進出しない状態で待機している。針本体６のみがフック６ａを開いた状態で引込まれる。目渡し側から目移しされる編目８は、目受け側のフック６ａが引込まれる途中で捕捉される。目受け側のフック６ａに捕捉される編目８は、目渡し側のタング７ｂの上縁から外れて、シンカ９の上縁付近に留まっている。編目８が目渡し側のタング７ｂの上縁で保持されている状態では、編目８を押し広げる力が編糸にかかっている。編目８が目渡し側のタング７の上縁から外れると、編目８には、編地を引下げる力などがかかる。編糸に充分な伸縮性や滑りがあれば、編目８の大きさは目渡し側のタング７ｂに掛っている状態よりも小さくなる。編目８が小さくなれば、目受け側のフック６ａが後上段針床４ｂに引込まれる際に、フック６ａ内に捕捉しやすい。【０００９】
編糸として滑りが悪い場合や、伸びの少ない場合、編地を引下げる力が効き難い場合などには、編目８が小さくならず、シンカ９の上縁付近で浮いている状態となる可能性がある。編地を引下げる力が効き難い場合としては、編目を増やして編幅を大きくする場合や、引返し編みを行う場合がある。後上段針床４ｂで裏目として編成する編目８を、前下段針床３ａから後上段針床４ｂに目移しする場合は、編目８自体の性質として、目受け側のフック６ａから離れる方向に浮きやすくなる。【００１０】
編目８が浮いている状態となると、目受け側のフック６ａの先端の下降軌跡６ｃにかかったり、下降軌跡６ｃよりもさらに浮いてしまうおそれがある。編目８がフック６ａの先端の下降軌跡６ｃよりも浮いてしまうと、編目８をフック６ａ内に捕捉することができず、編目８は歯口２に離脱する目こぼれが生じてしまう。編目８が下降軌跡６ｃにかかると、編目８を形成する編糸をフック６ａの先端で割ってしまうおそれがある。【００１１】
本発明の目的は、目こぼれや編目を割るような目移し不良を無くし、安定した目移しを行うことができる横編機およびその目移し方法を提供することである。
【課題を解決するための手段】
【００１２】
本発明は、歯口を挟んで対向するように配設される針床を備え、各針床には先頭部にフックを有する針本体と、針本体に対して相対移動してフックの先端側の開口部を開閉するスライダとを有する複合針が編針として並設され、スライダの先頭部はフックを両側から挟むようにしてフックの上縁よりも歯口に進出可能な二枚のブレードに別れ、各ブレードの先頭部にはタングが形成され、目渡し側ではフックの上縁よりも歯口に進出して相互間が開くタング間に編目を保持して、目受け側では歯口に進出させる針本体のフックを目渡し側のタング間に侵入させてから引込み、目受け側のフックの開口部内に編目を受取らせて目移しを行うことが可能な横編機において、
目受け側のフックを歯口に進出させて目渡し側のタング間に侵入させるフック進出手段と、
該目受け側のフックが引込まれて、フックの先端が目渡し側のタング間で保持される編目に達する前に、フック先端の下降軌跡よりも針本体の針幹側に、タング先端の底部で該編目を沈めるまで、目受け側のスライダを歯口に進出させるタング進出手段とを、
含むことを特徴とする横編機である。【００１３】
また本発明で、前記目受け側のスライダは、前記フックの先端側の開口部を閉じるように、前記針本体に対して前記タング先端が相対移動する際に、目受け側の針本体の針幹とタング先端との間隔がいったん増加してから減少することを特徴とする。【００１４】
また本発明で、前記複合針は、各針床に沿って往復走行するキャリッジに搭載されるカムによって駆動され、
該カムは、前記フック進出手段および前記タング進出手段を、駆動の経路としてそれぞれ有していることを特徴とする。【００１５】
また本発明で、前記針床は、前記歯口の少なくとも一方側では上下に二段設けられ、
前記フック進出手段および前記タング進出手段は、上段の針床に並設される複合針を、対向する針床の下段側から目移しされる編目を受取る目受け側として動作させることを特徴とする。【００１６】
さらに本発明は、歯口を挟んで対向するように配設される針床を備え、各針床には先頭部にフックを有する針本体と、針本体に対して相対移動してフックの先端側の開口部を開閉するスライダとを有する複合針が編針として並設され、スライダの先頭部はフックを両側から挟むようにしてフックの上縁よりも歯口に進出可能な二枚のブレードに別れ、各ブレードの先頭部にはタングが形成され、目渡し側ではフックの上縁よりも歯口に進出して相互間が開く目渡し側のタング間に編目を保持して、目受け側では歯口に進出させる針本体のフックをタング間に侵入させてから引込み、目受け側のフックの開口部内に編目を受取らせて目移しを行うことが可能な横編機の目移し方法において、
目受け側のフックを歯口に進出させて目渡し側のタング間に侵入させてから、該フックの先端が該タング間で保持される編目に達するまで引込まれる前に、
目受け側のスライダを歯口に進出させて、フック先端の下降軌跡よりも針本体の針幹側に、タング先端の底部で該編目を沈める、
ことを特徴とする横編機の目移し方法である。
【発明の効果】
【００１７】
本発明によれば、目渡し側では針本体の先頭部のフック上縁よりも歯口に進出して相互間が開くスライダの先頭部のタング間に編目を保持する。目受け側では、フック進出手段によって、針本体のフックを目渡し側のタング間に侵入させる。タング進出手段は、目受け側のフックが引込まれて、フックの先端が目渡し側のタング間で保持される編目に達する前に、タング先端の底部で編目を沈める。編目は、少なくともフック先端の下降軌跡よりも針本体の針幹側に、沈めることができるので、フックを目渡し側のタング間に侵入させた状態では編目が浮いていても、フックを引込む際の目こぼれや編目を割るような目移し不良を無くし、安定した目移しを行うことができる。【００１８】
また本発明によれば、目受け側のスライダは、フックの先端側の開口部を閉じるように、針本体に対してタング先端が相対移動する際に、針本体の針幹とタング先端との間隔がいったん増加してから減少する。タング先端の底部が針幹に対して浮沈するので、針幹から浮いている状態の編目を針幹側に押下げることができる。編目の浮きを解消させることができるので、フックを目受け側の針床に引込む際に、確実にフック先端側の開口部内に捕捉することができる。【００１９】
また本発明によれば、キャリッジに搭載するカムに設ける駆動の経路で、フック進出手段およびタング進出手段として動作させ、目移しの安定性を向上させることができる。【００２０】
また本発明によれば、裏目を編成する上段の針床に、歯口を挟んで対向する下段の針床で係止する裏目を目移しする際に、浮きやすい裏目をタングの先端で押込み、目受け側のフック内に捕捉して、安定した目移しを行うことができる。【００２１】
さらに本発明によれば、目受け側のスライダのタング先端の底部で目渡し側のタング間に保持されている編目を目受け側のフック先端の下降軌跡よりも針本体の針幹側に沈める。編目が針幹から浮いていても、下降するフック先端の開口部内に確実に捕捉し、安定した目移しを行うことができる。
【図面の簡単な説明】
【００２２】
【図１】図１は、本発明の実施の一形態として、四枚ベッドの横編機１０で、下段側の針床から上段側の針床への目移しを行う途中の特徴的な動作を示す簡略化した側面断面図である。
【図２】図２は、図１の横編機１０に使用する目移しカム１１のカム配置図である。
【図３】図３は、従来からの四枚ベッドの横編機１で下段側から上段側へ目移しを行う状態を簡略化して示す側面断面図である。
【発明を実施するための最良の形態】
【００２３】
図１は、本発明の実施の一形態として、四枚ベッドの横編機１０で、下段側の針床から上段側の針床への目移しを行う途中の特徴的な動作を示す。図１の（ａ）、（ｂ）および（ｃ）は、図３の（ａ）、（ｂ）および（ｃ）にそれぞれ対応する。以下の説明で、横編機１０について、横編機１と対応する部分には同一の参照符を付し、重複する説明を省略する。【００２４】
横編機１０では、目受け側の後上段針床４ｂの複合針５のスライダ７を、フック６ａを引込む前に歯口２に進出させる。図１（ａ）でタング７ｂの進出を開始し、図１（ｂ）ではタング７ｂの先端の底部が編目８の位置まで達する。タング７ｂの先端は、底部から離れる方向に湾曲している。タング７ｂをさらに進出させれば、図１（ｃ）に示すように、編目８に沿ってタング７ｂの先端の底部がそり上がる。編目８は、シンカー９の上縁に留まるシンカーループが揺動支点となって、シンカー９間のニードルループの部分がフック６ａ内への方向、すなわちフック６ａの先端の下降軌跡６ｃよりも針幹６ｂ側に沈むように押込まれる。【００２５】
図１（ｃ）では、フック６ａも後上段針床４ｂの方向に引込まれ、タング７ｂの先端でフック６ａが閉じられる。このようにフック６ａを閉じてから後上段針床４ｂに引込めば、フック６ａ内に捕捉した編目８を確実に受取ることができる。フック６ａをタング７ｂの先端で閉じる際に、特許文献２に示すように、タングの先端と針本体の針幹との間隔をいったん増加させてから減少させることもできる。タング７ｂの先端底部で編目８を押込む際に、タング７ｂの先端を針幹６ｂからいったん浮かせてから沈めるので、編目８が浮いていても確実に沈めてフック６ａ内に捕捉することができる。【００２６】
図２は、図１の横編機１０で各針床に設けるキャリッジに搭載される目移しカム１１の概略的なカム配置を示す。前下段針床３ａの複合針５は、前下段カム１３で駆動し、後上段針床４ｂの複合針５は、後上段カム１４で駆動する。後下段針床４ａおよび前上段針床３ｂの編針５を駆動するカムは、前下段カム１３および後上段カム１４とそれぞれ同等である。目移しカム１１は、キャリッジの走行方向が反転しても同等の動作を行うように、中心線１１ａに関して対称となっている。以下の説明では、走行方向に対して、中心線１１ａよりも先行側を前半、後行側を後半として示す。【００２７】
図２には、キャリッジの左行で、前下段針床３ａの編針５から後上段針床４ｂの編針５に編目を移す場合に、編針５の針本体６およびスライダ７のバットが案内される経路１６，１７をそれぞれ示す。このように、前下段針床３ａが目渡し側となり、後上段針床４ｂが目受け側となるのは、経路１８で示すセレクトジャックへの選針結果に基づく。セレクトジャックは、各編針で針本体よりも歯口２から遠ざかる側に接続され、針溝から浮く方向に突出するバットがプレッサ群１９で押圧されると、針本体６のバットを針溝内に沈める。【００２８】
前下段カム１３には、ニードル操作カム２０およびスライダ操作カム２１が含まれる。ニードル操作カム２０には、目渡し側フック進出経路２０ａと、目受け側フック進出経路２０ｂとが設けられる。スライダ操作カム２１には、目渡し側タング進出経路２１ａと目受け側タング進出経路２１ｂとが設けられる。目渡し側と目受け側との切換えは、編針毎の選針結果に基づくセレクトジャックのバットの経路１８の選択で行われる。図のように目渡し側となる場合は、Ｈポジションの選針が行われ、セレクトジャックのバットは、プレッサ２２ａ，２２ｂが設けられる経路を通る。前半のプレッサ２２ａを不作用、後半のプレッサ２２ｂを作用に設定しておくと、針本体６のバットは前半の目渡し側フック進出経路２０ａで案内されて、フック６ａを歯口２に進出させる。前半では、スライダ７は針本体６の歯口２への進出に付随して歯口２側に少し進出する。さらに、スライダ７のバットは後半の目受け側タング進出経路２１ａに案内され、タング７ｂは歯口２に進出する。針本体６のバットは、目渡し側フック進出経路２０ａの頂部を過ぎて下降し、フック６ａは前下段針床３ａに引込まれる。セレクトジャックのバットは後半のプレッサ２２ｂの作用を受けて沈むので、針本体６のバットは後半は歯口２に進出しない。【００２９】
セレクトジャックがＡポジションとなるように選針すると、セレクトジャックのバットは、プレッサ２３ａ，２３ｂ，２３ｃ，２３ｄが設けられる経路を通る。前半のプレッサ２３ａ，２３ｂを作用、後半のプレッサ２３ｃ，２３ｄを不作用に設定しておくと、針本体６のバットは前半の目渡し側フック進出経路２０ａを通らず、後半の目受け側フック進出経路２０ｂを通る。スライダ７のバットは、後半の目受け側タング進出経路２１ｂで少しだけ歯口２側に進出するだけである。【００３０】
セレクトジャックがＢポジションとなるように選針すると、セレクトジャックのバットは、プレッサ２４が設けられる経路を通る。プレッサ２４は常に突出しており、針本体６およびスライダ７は、歯口２に進出しないで、目移しに関する動作は行わない。なお、図１（ａ）、（ｂ）および（ｃ）に対応する針本体６のバットの位置を２６ａ，２６ｂ，２６ｃでそれぞれ示し、スライダ７のバットの位置を２７ａ，２７ｂ，２７ｃでそれぞれ示す。【００３１】
後上段カム１４には、ニードル操作カム３０およびスライダ操作カム３１が含まれる。ニードル操作カム３０には、目受け側フック進出経路３０ａと、目渡し側フック進出経路３０ｂとが設けられる。スライダ操作カム３１には、目受け側タング進出経路３１ａと目渡し側タング進出経路３１ｂとが設けられる。目受け側と目渡し側との切換えは、編針毎の選針結果に基づくセレクトジャックのバットの経路１８の選択で行われる。図のように目受け側となる場合は、Ｈポジションの選針が行われ、セレクトジャックのバットは、プレッサ３２ａ，３２ｂが設けられる経路を通る。前半のプレッサ３２ａを作用、後半のプレッサ３２ｂを不作用に設定しておくと、針本体６のバットは後半の目受け側フック進出経路３０ａで案内されて、フック６ａを歯口２に進出させる。スライダ７のバットは後半の目受け側タング進出経路３１ａに案内され、タング７ｂは歯口２に進出するので、図１（ａ）、（ｂ）および（ｃ）に示すような動作を行わせることができる。【００３２】
セレクトジャックがＡポジションとなるように選針すると、セレクトジャックのバットは、プレッサ３３ａ，３３ｂが設けられる経路を通る。前半のプレッサ３３ａを不作用、後半のプレッサ３３ｂを作用に設定しておくと、針本体６のバットは前半の目渡し側フック進出経路３０ｂを通って歯口２に進出し、後半は歯口２に進出しない。スライダ７のバットは、前半は針本体６に付随して目渡し側タング進出経路３１ｂを通って歯口２に進出し、後半は目受け側タング進出経路３１ａを通って、歯口２に進出する。目渡し側では、タング７ｂを歯口２に進出させる必要はないけれども、経路を共用している。経路を切換えて、目渡し側ではタング７ｂが歯口２に進出しないようにすることもできる。ただし、スライダ操作カム３１としては、切換えを行わない方が構成の簡易化を図ることができる。【００３３】
セレクトジャックがＢポジションとなるように選針すると、セレクトジャックのバットは、プレッサ３４が設けられる経路を通る。プレッサ３４は常に突出しており、針本体６およびスライダ７は、歯口２に進出しないで、目移しに関する動作は行わない。なお、図１（ａ）、（ｂ）および（ｃ）に対応する針本体６のバットの位置を３６ａ，３６ｂ，３６ｃでそれぞれ示し、スライダ７のバットの位置を３７ａ，３７ｂ，３７ｃでそれぞれ示す。【００３４】
本発明を適用する目移しでは、目受け側のフック６ａを少し引込み、歯口２に進出するタング７ｂで閉じてから後上段針床４ｂに引込むようにしているけれども、閉じるまでフック６ａの引込みは行わず、タング７ｂのみを進出させてもよい。また、タング７ｂは、編目８を押し下げるまで進出せるて留めておき、フック６ａのみを引下げるようにしてもよい。【００３５】
図１の横編機１０は、四枚ベッド機であり、下段側の針床から歯口２を挟んで対向する上段側の針床への目移しに本発明を適用している。しかしながら、本発明の主旨を逸脱しない範囲であれば、他の場合でも実施可能である。たとえば、四枚ベッド機で上段側の針床から下段側の針床への目移しや下段側の針床間での目移しに、本発明を適用することができる。さらに、二枚ベッド機でも、針床間の目移しに、本発明を適用することができる。編針の駆動は、目移しカム１１で行っているけれども、目移しと編成との両方の機能を備える複合カムでも、経路の切換えを行えば、同様に本発明を適用することができる。また、目移しカム１１では、キャリッジの往復走行の両方向で同様な目移しを可能にしているけれども、特定の方向のみで目移しを行うようにしてもよいことはもちろんである。さらに、編針の駆動は、カムに限らず、たとえば針本体６やスライダ７に、個別の駆動用アクチュエータなどを設けるようにしてもよい。
【符号の説明】
【００３６】
２  歯口
３ａ  前下段針床
３ｂ  前上段針床
４ａ  後下段針床
４ｂ  後上段針床
５  複合針
６  針本体
６ａ  フック
６ｂ  針幹
７  スライダ
７ａ  ブレード
７ｂ  タング
８  編目
１０  横編機
１１  目移しカム
２０，３０  ニードル操作カム
２１，３１  スライダ操作カム
３０ａ  目受け側フック進出経路
３１ａ  目受け側タング進出経路
【図１】
0005414698.tif 000002
【図２】
0005414698.tif 000003
【図３】
0005414698.tif 000004